(57)【要約】【課題】装置内の故障診断を容易に行うことができ、且つ従来よりも歩行者との衝突を正確に検知することが可能な歩行者衝突検知装置を提供する。【解決手段】車両の前端部に設置された１つ若しくは複数の密閉された容器と、前記容器内の圧力を調整するための圧力調整手段と、前記容器内の圧力変化を検出する圧力センサと、電源投入時において、前記圧力調整手段を制御することにより前記容器内の圧力を変化させ、前記圧力センサによって検出される前記容器内の圧力変化の変化過程を基に自装置の故障診断を行う故障診断手段と、前記故障診断手段によって故障無しと診断された場合に、前記圧力センサによって検出される前記容器内の圧力変化に基づいて、歩行者と衝突したか否かを判定する衝突判定手段とを備える。【選択図】図１
2009196464.tif 000002
【特許請求の範囲】
【請求項１】
車両の前端部に設置された１つ若しくは複数の密閉された容器と、
前記容器内の圧力を調整するための圧力調整手段と、
前記容器内の圧力変化を検出する圧力センサと、
電源投入時において、前記圧力調整手段を制御することにより前記容器内の圧力を変化させ、前記圧力センサによって検出される前記容器内の圧力変化の変化過程を基に自装置の故障診断を行う故障診断手段と、
前記故障診断手段によって故障無しと診断された場合に、前記圧力センサによって検出される前記容器内の圧力変化に基づいて、歩行者と衝突したか否かを判定する衝突判定手段と、
を備えることを特徴とする歩行者衝突検知装置。
【請求項２】
前記故障診断手段は、前記容器内の圧力が大気圧から目標圧力に到達するように前記圧力調整手段を制御すると共に、当該容器内の圧力が大気圧から目標圧力に到達するまでに前記圧力センサによって検出される前記容器内の圧力変化の変化過程を基に自装置の故障診断を行うことを特徴とする請求項１記載の歩行者衝突検知装置。
【請求項３】
前記故障診断手段は、前記容器内の圧力が大気圧から目標圧力に到達するまでの前記容器内の圧力変化の変化過程として、前記容器内の圧力の増減方向を監視し、当該増減方向が異常であった場合に、前記容器、前記圧力センサ及び前記圧力調整手段のいずれかが故障であると診断することを特徴とする請求項２記載の歩行者衝突検知装置。
【請求項４】
前記故障診断手段は、前記容器内の圧力が大気圧から目標圧力に到達するまでの前記容器内の圧力変化の変化過程として、前記容器内の圧力の増減方向が正常であった場合、所定時間変化Δｔに対する圧力変化ΔＰを監視し、ΔＰ／Δｔの値が規定範囲内に含まれない場合に、前記容器、前記圧力センサ及び前記圧力調整手段のいずれかが故障であると診断することを特徴とする請求項３記載の歩行者衝突検知装置。
【請求項５】
前記故障診断手段は、前記容器内の圧力が大気圧から目標圧力に到達するまでの前記容器内の圧力変化の変化過程を基に故障無しと診断した場合、前記圧力調整手段を制御して前記容器内の圧力を前記目標圧力に保持すると共に、前記圧力センサによって検出される前記容器内の圧力変化が前記目標圧力の規定範囲内に含まれない場合に、前記容器、前記圧力センサ及び前記圧力調整手段のいずれかが故障であると診断することを特徴とする請求項２〜４のいずれか一項に記載の歩行者衝突検知装置。
【請求項６】
前記故障診断手段は、前記電源投入時において、前記圧力調整手段の制御前に、前記圧力センサの出力信号を基に前記容器内の圧力が大気圧の規定範囲内に含まれているか否かを判定し、大気圧の規定範囲内に含まれていると判定された場合に前記圧力調整手段の制御を開始する一方、大気圧の規定範囲内に含まれていないと判定された場合に圧力センサの故障と診断することを特徴とする請求項１〜５のいずれか一項に記載の歩行者衝突検知装置。
【請求項７】
前記車両の車速を検出する車速センサを備え、
前記衝突判定手段は、前記車速センサによって検出される車速に応じた衝突判定閾値を設定すると共に、前記容器が１つ設置されている場合は、当該１つの容器内の圧力変化と前記衝突判定閾値とを比較して、前記圧力変化が前記衝突判定閾値を越えた場合に歩行者と衝突したと判定し、前記容器が複数設置されている場合は、当該複数の容器内の圧力変化の少なくとも１つが前記衝突判定閾値を越えた場合に歩行者と衝突したと判定することを特徴とする請求項１〜６のいずれか一項に記載の歩行者衝突検知装置。
【請求項８】
前記容器が複数設置されている場合、
各容器は、隣合う容器と少なくとも１箇所以上重なり合うように設置されていることを特徴とする請求項１〜７のいずれか一項に記載の歩行者衝突検知装置。
【請求項９】
前記容器は、車両のバンパビーム前方に設置されており、歩行者との衝突時における歩行者脚部保護用のセーフティプレートとしての役割を兼ねていることを特徴とする請求項１〜８のいずれか一項に記載の歩行者衝突検知装置。
【請求項１０】
車両の前端部が歩行者と衝突した場合に、当該車両に設けられたフードを持ち上げることにより前記歩行者が負う傷害を軽減する歩行者保護システムであって、
前記フードを持ち上げるためのアクチュエータと、  
請求項１〜９のいずれか一項に記載の歩行者衝突検知装置と、
前記歩行者衝突検知装置にて前記歩行者と衝突したと判定された場合に、前記アクチュエータを制御することにより前記フードを持ち上げる制御装置と、
を備えることを特徴とする歩行者保護システム。
【発明の詳細な説明】
【技術分野】
【０００１】
本発明は、歩行者衝突検知装置及び歩行者保護システムに関する。
【背景技術】
【０００２】
走行中の車両が歩行者に衝突した場合、車両のフロントバンパと歩行者の下半身とが衝突するため、歩行者は車両のフード上に跳ね上げられて頭部をフード表面に強打してしまい、深刻な傷害を負う恐れがある。特に、フロントエンジンタイプの車両では、デザイン上の制約からフード（エンジンフード）とエンジンルームに配置された部品との間に十分な空間を確保できない場合があり、頭部への衝撃の度合いは大きくなる。このように車両と歩行者との衝突事故が発生した場合に歩行者の傷害を軽減するために、車両が歩行者と衝突した際にエンジンフードの後端を持ち上げることにより、エンジンフードとエンジンルームに配置された部品との間に空間を生じさせ、歩行者の頭部への衝撃を緩和する技術が開発されている。
【０００３】
例えば、下記特許文献１には、走行中の車両が歩行者に衝突した場合に、フードを所定量持ち上げると共に、その持ち上げた位置にて保持する車両用フード装置が開示されている。また、下記特許文献２には、車両のフロントバンパに第１バンパセンサ〜第３バンパセンサ（加速度センサ）を設け、第１バンパセンサの出力信号を基に算出した変形速度と第２バンパセンサの出力信号を基に算出した変形速度との加算値を所定の閾値と比較すると共に、第２バンパセンサの出力信号を基に算出した変形速度と第３バンパセンサの出力信号を基に算出した変形速度との加算値を所定の閾値と比較し、いずれか一方の加算値が閾値を越えた場合にアクチュエータを作動させてフードを持ち上げる車両用センサシステムが開示されている。
【特許文献１】特開平９−３１５２６６号公報
【特許文献２】特開２００２−８７２０４号公報
【発明の開示】
【発明が解決しようとする課題】
【０００４】
上記のように、従来技術では、車両前端部に設けられた１つ以上の加速度センサの出力信号を基に算出した変形速度と所定の閾値とを比較し、変形速度が閾値を越えた場合に歩行者と衝突したと判定して、アクチュエータを作動させてフードを持ち上げる手法が一般的である。このような従来技術では、以下のような問題点があった。
【０００５】
（１）一般的な車両では、電源投入（イグニッションＯＮ）時において、自律的に各種機能部を動作させて、その時に得られるセンサ出力を基に装置内のセンサや各種機能部等の故障診断を行っているが、この故障診断は安全のために車両が停止している期間に行われるものである。従来使用されていた加速度センサでは、車両に衝突や、加減速、振動などに起因する衝撃が加わらなければセンサ出力が変化せず、簡易的な方法でしか故障があるかどうかを診断することができなかった。
（２）歩行者との衝突では、衝突直後に歩行者の脚が跳ね上げられて衝撃が途切れてしまうため、衝突直後の極めて短い時間内に得られるセンサ出力変化を基に衝突判定を行わなければならず、加速度センサでの衝突判定は困難であった。
（３）加速度センサでは、そのセンサ出力変化が悪路走行時などの車両振動に起因するものか、歩行者との衝突に起因するものかを判別することが困難であり（特に車両振動レベル＞歩行者衝突レベルの場合）、車両前端部の変形を伴わない車両振動を歩行者との衝突と誤判定してしまい、フードを持ち上げてしまう可能性があった。
（４）衝突箇所と加速度センサの設置位置が離れてしまうと正確な衝突判定が困難であった（衝突箇所と加速度センサの設置位置が離れてしまうと、衝撃レベルが減衰してセンサ出力も減衰するため）。
【０００６】
本発明は、上述した事情に鑑みてなされたものであり、装置内の故障診断を容易に行うことができ、且つ従来よりも歩行者との衝突を正確に検知することが可能な歩行者衝突検知装置を提供すると共に、当該歩行者衝突検知装置を備えることにより、衝突時に確実に歩行者を保護することが可能な歩行者保護システムを提供することを目的とする。
【課題を解決するための手段】
【０００７】
上記目的を達成するために、本発明は、歩行者衝突検知装置に係る第１の解決手段として、車両の前端部に設置された１つ若しくは複数の密閉された容器と、前記容器内の圧力を調整するための圧力調整手段と、前記容器内の圧力変化を検出する圧力センサと、電源投入時において、前記圧力調整手段を制御することにより前記容器内の圧力を変化させ、前記圧力センサによって検出される前記容器内の圧力変化の変化過程を基に自装置の故障診断を行う故障診断手段と、前記故障診断手段によって故障無しと診断された場合に、前記圧力センサによって検出される前記容器内の圧力変化に基づいて、歩行者と衝突したか否かを判定する衝突判定手段と、を備えることを特徴とする。
【０００８】
また、歩行者衝突検知装置に係る第２の解決手段として、上記第１の解決手段において、前記故障診断手段は、前記容器内の圧力が大気圧から目標圧力に到達するように前記圧力調整手段を制御すると共に、当該容器内の圧力が大気圧から目標圧力に到達するまでに前記圧力センサによって検出される前記容器内の圧力変化の変化過程を基に自装置の故障診断を行うことを特徴とする。
【０００９】
また、歩行者衝突検知装置に係る第３の解決手段として、上記第２の解決手段において、前記故障診断手段は、前記容器内の圧力が大気圧から目標圧力に到達するまでの前記容器内の圧力変化の変化過程として、前記容器内の圧力の増減方向を監視し、当該増減方向が異常であった場合に、前記容器、前記圧力センサ及び前記圧力調整手段のいずれかが故障であると診断することを特徴とする。
【００１０】
また、歩行者衝突検知装置に係る第４の解決手段として、上記第３の解決手段において、前記故障診断手段は、前記容器内の圧力が大気圧から目標圧力に到達するまでの前記容器内の圧力変化の変化過程として、前記容器内の圧力の増減方向が正常であった場合、所定時間変化Δｔに対する圧力変化ΔＰを監視し、ΔＰ／Δｔの値が規定範囲内に含まれない場合に、前記容器、前記圧力センサ及び前記圧力調整手段のいずれかが故障であると診断することを特徴とする。
【００１１】
また、歩行者衝突検知装置に係る第５の解決手段として、上記第２〜第４のいずれかの解決手段において、前記故障診断手段は、前記容器内の圧力が大気圧から目標圧力に到達するまでの前記容器内の圧力変化の変化過程を基に故障無しと診断した場合、前記圧力調整手段を制御して前記容器内の圧力を前記目標圧力に保持すると共に、前記圧力センサによって検出される前記容器内の圧力変化が前記目標圧力の規定範囲内に含まれない場合に、前記容器、前記圧力センサ及び前記圧力調整手段のいずれかが故障であると診断することを特徴とする。
【００１２】
また、歩行者衝突検知装置に係る第６の解決手段として、上記第１〜第５のいずれかの解決手段において、前記故障診断手段は、前記電源投入時において、前記圧力調整手段の制御前に、前記圧力センサの出力信号を基に前記容器内の圧力が大気圧の規定範囲内に含まれているか否かを判定し、大気圧の規定範囲内に含まれていると判定された場合に前記圧力調整手段の制御を開始する一方、大気圧の規定範囲内に含まれていないと判定された場合に圧力センサの故障と診断することを特徴とする。
【００１３】
また、歩行者衝突検知装置に係る第７の解決手段として、上記第１〜第６のいずれかの解決手段において、前記車両の車速を検出する車速センサを備え、前記衝突判定手段は、前記車速センサによって検出される車速に応じた衝突判定閾値を設定すると共に、前記容器が１つ設置されている場合は、当該１つの容器内の圧力変化と前記衝突判定閾値とを比較して、前記圧力変化が前記衝突判定閾値を越えた場合に歩行者と衝突したと判定し、前記容器が複数設置されている場合は、当該複数の容器内の圧力変化の少なくとも１つが前記衝突判定閾値を越えた場合に歩行者と衝突したと判定することを特徴とする。
【００１４】
また、歩行者衝突検知装置に係る第８の解決手段として、上記第１〜第７のいずれかの解決手段において、前記容器が複数設置されている場合、各容器は、隣合う容器と少なくとも１箇所以上重なり合うように設置されていることを特徴とする。
【００１５】
また、歩行者衝突検知装置に係る第９の解決手段として、上記第１〜第８のいずれかの解決手段において、前記容器は、車両のバンパビーム前方に設置されており、歩行者との衝突時における歩行者脚部保護用のセーフティプレートとしての役割を兼ねていることを特徴とする。
【００１６】
さらに、本発明は、歩行者保護システムに係る解決手段として、車両の前端部が歩行者と衝突した場合に、当該車両に設けられたフードを持ち上げることにより前記歩行者が負う傷害を軽減する歩行者保護システムであって、前記フードを持ち上げるためのアクチュエータと、上述した第１〜第９のいずれかの解決手段を有する歩行者衝突検知装置と、前記歩行者衝突検知装置にて前記歩行者と衝突したと判定された場合に、前記アクチュエータを制御することにより前記フードを持ち上げる制御装置と、を備えることを特徴とする。
【発明の効果】
【００１７】
本発明に係る歩行者衝突検知装置は、車両の前端部に設置された１つ若しくは複数の密閉された容器と、前記容器内の圧力を調整するための圧力調整手段と、前記容器内の圧力変化を検出する圧力センサと、電源投入時において、前記圧力調整手段を制御することにより前記容器内の圧力を変化させ、前記圧力センサによって検出される前記容器内の圧力変化の変化過程を基に自装置の故障診断を行う故障診断手段と、前記故障診断手段によって故障無しと診断された場合に、前記圧力センサによって検出される前記容器内の圧力変化に基づいて、歩行者と衝突したか否かを判定する衝突判定手段とを備える。
つまり、本発明は、車両が歩行者と衝突した場合に、その衝撃によって前記容器が変形した際に発生する容器内の圧力変化を圧力センサによって検出し、その容器内の圧力変化に基づいて、歩行者と衝突したか否かを判定するものであると共に、電源投入時において、前記圧力調整手段を制御することにより前記容器内の圧力を変化させ、前記圧力センサによって検出される前記容器内の圧力変化の変化過程を基に自装置の故障診断を行うものである。
また、衝突直後の圧力センサの出力変化は、加速度センサと比較してある程度長い時間得られるので、衝突判定が容易となる。
また、容器の変形する過程で圧力変化は発生するので、圧力センサの出力変化が悪路走行時などの車両振動に起因するものか、歩行者との衝突に起因するものかを判別することができ、その結果、車両前端部の変形を伴わない車両振動を歩行者との衝突と誤判定することを防止することができる。
また、衝突箇所と圧力センサの設置位置が離れてしまう場合であっても、容器が変形しさえすれば、その容器内の圧力変化は均一に生じるため、衝突の衝撃を減衰なく捉えることができる。
以上のように、本発明によれば、装置内の故障診断を容易に行うことができ、且つ従来よりも歩行者との衝突を正確に検知することが可能な歩行者衝突検知装置を提供することが可能であり、当該歩行者衝突検知装置を備えることにより、衝突時に確実に歩行者を保護することが可能な歩行者保護システムを提供することが可能である。
【発明を実施するための最良の形態】
【００１８】
以下、図面を参照して、本発明の一実施形態について説明する。
図１は、本実施形態に係る歩行者衝突検知装置を備える歩行者保護システムの構成概略図である。なお、図１（ａ）は、本実施形態に係る歩行者保護システムが搭載された車両１００の側面図であり、図１（ｂ）は、この車両１００の上面図である。また、本実施形態では、車両１００としてフロントエンジンタイプの車両を想定しており、エンジンルーム上にはエンジンフード１３０が開閉自在に設けられている。
【００１９】
この図１に示すように、本実施形態に係る歩行者保護システムは、車両１００の前端部（フロントバンパ１１０）の車幅方向に沿って左側、中央、右側の各々に設置された３つの圧力検出用容器１０Ｌ、１０Ｃ、１０Ｒと、これら圧力検出容器１０Ｌ、１０Ｃ、１０Ｒの各々の内部に設けられた圧力センサ２０Ｌ、２０Ｃ、２０Ｒと、車両１００の前輪１２０に設置された車速センサ３０と、ＥＣＵ（Electronic Control Unit）４０と、圧力調整用ポンプ（圧力調整手段）５０と、車両１００のエンジンフード１３０の後端部を持ち上げるためのアクチュエータであるパワーユニット６０とから構成されている。
【００２０】
フロントバンパ１１０の内部にはバンパビーム１４０が設けられており、圧力検出用容器１０Ｌ、１０Ｃ、１０Ｒは、バンパビーム１４０の前方に設置されている。これら圧力検出用容器１０Ｌ、１０Ｃ、１０Ｒは、内部が空洞の密閉された容器であり、衝突時に変形しやすいようにアルミ等の金属材料で形成されている。従来では、このバンパビーム１４０の前方には、歩行者との衝突時における歩行者脚部保護用のセーフティプレートが設けられていたが、本実施形態では、圧力検出用容器１０Ｌ、１０Ｃ、１０Ｒがセーフティプレートとしての役割を兼ねている。なお、これら圧力検出用容器１０Ｌ、１０Ｃ、１０Ｒは、樹脂等の非金属材料によって形成されていても良い。
【００２１】
また、圧力検出用容器１０Ｌ、１０Ｃ、１０Ｒの内部圧力は、圧力調整用ポンプ５０によって所定の目標圧力に保持されている。つまり、衝突によって圧力検出用容器１０Ｌ、１０Ｃ、１０Ｒが変形した場合、これら各容器の内部圧力は目標圧力から変化することになる。圧力センサ２０Ｌは、圧力検出用容器１０Ｌの内部の圧力変化を検出し、当該圧力変化を表す信号をＥＣＵ４０に出力する。圧力センサ２０Ｃは、圧力検出用容器１０Ｃの内部の圧力変化を検出し、当該圧力変化を表す信号をＥＣＵ４０に出力する。圧力センサ２０Ｒは、圧力検出用容器１０Ｒの内部の圧力変化を検出し、当該圧力変化を表す信号をＥＣＵ４０に出力する。
【００２２】
ここで、図１（ｂ）に示すように、これら圧力検出用容器１０Ｌ、１０Ｃ、１０Ｒは、隣合う容器と少なくとも１箇所以上重なり合うように設置されていることが望ましい。このように設置することにより、例えば車両右側に設置された圧力検出用容器１０Ｒの近くで衝突が発生した場合でも、その衝突エネルギーが隣接する圧力検出用容器１０Ｃに伝達されて、圧力検出用容器１０Ｒだけでなく圧力検出用容器１０Ｃも変形するため、衝突による圧力変化を２つの容器から検出することができ、後述する衝突判定処理の精度を高めることができる。
【００２３】
車速センサ３０は、前輪１２０の回転速度を車速として検出し、当該車速に応じた信号をＥＣＵ４０に出力する。
ＥＣＵ４０は、圧力センサ２０Ｌ、２０Ｃ、２０Ｒの出力信号と、車速センサ３０の出力信号とを入力とし、これらの出力信号に基づいて、車両１００が歩行者と衝突したか否かを判定し、衝突したと判定した場合に、パワーユニット６０を制御してエンジンフード１３０を持ち上げる。また、車速センサ３０は、本実施例においては車両１００の前輪１２０の回転速度を車速として検出しているが、後輪または変速機等により車速を検出するものも含む。
【００２４】
図２は、上記のＥＣＵ４０の詳細なブロック構成図である。この図２に示すように、ＥＣＵ４０は、センサＩ／Ｆ４０ａ、歩行者衝突判定回路４０ｂ、故障診断回路４０ｃ及びエンジンフード制御装置４０ｄから構成されている。センサＩ／Ｆ４０ａは、圧力センサ２０Ｌ、２０Ｃ、２０Ｒの出力信号の受信用インタフェースであり、受信した圧力センサ２０Ｌ、２０Ｃ、２０Ｒの出力信号を歩行者衝突判定回路４０ｂ及び故障診断回路４０ｃに出力する。
【００２５】
歩行者衝突判定回路４０ｂは、圧力センサ２０Ｌ、２０Ｃ、２０Ｒ及び車速センサ３０の出力信号を入力とし、これらの出力信号に基づいて、車両１００が歩行者と衝突したか否かを判定し、歩行者と衝突したと判定した場合にエンジンフード１３０を起動（持ち上げ）させるための起動信号をエンジンフード制御装置４０ｄに出力する。詳細は後述するが、この歩行者衝突判定回路４０ｂは、圧力センサ２０Ｌ、２０Ｃ、２０Ｒ及び車速センサ３０の出力信号を基に、圧力検出用容器１０Ｌ、１０Ｃ、１０Ｒの内部の圧力変化と車両１００の車速の情報を取得し、車速に応じた衝突判定閾値を設定すると共に、各容器内の圧力変化と衝突判定閾値とを比較して、各容器内の圧力変化の少なくとも１つが衝突判定閾値を越えた場合に歩行者と衝突したと判定する。
【００２６】
故障診断回路４０ｃは、圧力センサ２０Ｌ、２０Ｃ、２０Ｒの出力信号を入力とし、電源投入（イグニッションＯＮ）時において、圧力調整用ポンプ５０を制御することにより圧力検出用容器１０Ｌ、１０Ｃ、１０Ｒの内部圧力を変化させ、圧力センサ２０Ｌ、２０Ｃ、２０Ｒによって検出される各圧力検出用容器内の圧力変化の変化過程を基に故障診断を行い、故障無しと診断した場合、歩行者衝突判定回路４０ｂに対して衝突判定処理の開始を許可する。なお、この故障診断回路４０ｃによる故障診断処理の詳細については後述する。
【００２７】
エンジンフード制御装置４０ｄは、歩行者衝突判定回路４０ｂから歩行者と衝突したとの判定結果を示す起動信号が入力された場合に、パワーユニット６０を制御することによりエンジンフード１３０を起動させる（持ち上げる）。
【００２８】
以上がＥＣＵ４０の詳細な説明であり、以下、図１に戻って説明を続ける。
圧力調整用ポンプ５０は、ＥＣＵ４０（故障診断回路４０ｃ）による制御の下、圧力検出用容器１０Ｌ、１０Ｃ、１０Ｒの内部圧力を調整する。パワーユニット６０は、例えばエアシリンダから構成されており、ＥＣＵ４０（エンジンフード制御装置４０ｄ）の制御によってシャフト６０ａが上昇しエンジンフード１３０を持ち上げる。また、このパワーユニット６０にはシャフトロック機構６０ｂが設けられており、エンジンフード１３０を持ち上げた後、シャフトロック機構６０ｂによってシャフト６０ａをロックすることにより、エンジンフード１３０の上昇位置を保持する機能も備えている。なお、エンジンフード１３０を持ち上げるためのパワーユニット６０として、例えば衝突判定時に膨張するエアバッグ等、他のアクチュータを用いても良い。
【００２９】
このように、本実施形態では、圧力検出用容器１０Ｌ、１０Ｃ、１０Ｒ、圧力センサ２０Ｌ、２０Ｃ、２０Ｒ、歩行者衝突判定回路４０ｂ、故障診断回路４０ｃ及び圧力調整用ポンプ５０によって、歩行者衝突検知装置が構成されている。
【００３０】
次に、上記のように構成された本実施形態に係る歩行者保護システムの動作について説明する。最初に、故障診断回路４０ｃによる故障診断処理について、図３のフローチャート及び図４のタイミングチャートを参照して説明する。
【００３１】
まず、故障診断回路４０ｃは、電源投入（イグニションＯＮ）時において、ワーニングランプ（図示省略）を点灯させて初期診断処理を開始する（ステップＳ１０）。故障診断回路４０ｃは、初期診断処理として、まず圧力センサ２０Ｌ、２０Ｃ、２０Ｒの出力信号を基に、各圧力検出用容器１０Ｌ、１０Ｃ、１０Ｒの内部圧力を測定し（ステップＳ１１）、各圧力検出用容器１０Ｌ、１０Ｃ、１０Ｒの内部圧力が大気圧の規定範囲内か否かを判定する（ステップＳ１２）。
【００３２】
上記ステップＳ１２において、「Ｎｏ」、つまり内部圧力が大気圧の規定範囲内に含まれていない圧力検出用容器が１つでも存在する場合、故障診断回路４０ｃは、リトライ回数ｋ１をインクリメントし（ステップＳ１３）、そのリトライ回数ｋ１が規定値（例えば３回）以上か否かを判定する（ステップＳ１４）。このステップＳ１４において、「Ｎｏ」、つまりリトライ回数ｋ１が規定値未満であった場合、故障診断回路４０ｃは、ステップＳ１１に戻って内部圧力の再測定を行う。一方、ステップＳ１４において、「Ｙｅｓ」、つまりリトライ回数ｋ１が規定値以上であった場合、故障診断回路４０ｃは、ステップＳ３０に移行し、圧力センサの故障と診断して警報を発生して故障診断処理を終了する。この警報は、ワーニングランプを点滅させても良いし、または専用のワーニングランプを使用しても良い。
【００３３】
一方、上記ステップＳ１２において、「Ｙｅｓ」、つまり全ての圧力検出用容器の内部圧力が大気圧の規定範囲内に含まれている場合、故障診断回路４０ｃは、図４に示すように、圧力調整用ポンプ５０を制御して、各圧力検出用容器１０Ｌ、１０Ｃ、１０Ｒの内部圧力が大気圧から目標圧力に到達するように加圧または減圧を行う（ステップＳ１５）。そして、故障診断回路４０ｃは、圧力センサ２０Ｌ、２０Ｃ、２０Ｒの出力信号を基に、各圧力検出用容器１０Ｌ、１０Ｃ、１０Ｒの内部圧力の増減方向が「ＯＫ」か「ＮＧ」かを判定する（ステップＳ１６）。ここで、加圧した場合には、内部圧力が大気圧から正の方向に増大していれば「ＯＫ」と判定し、減圧した場合には、内部圧力が大気圧から負の方向に減少していれば「ＯＫ」と判定する。
【００３４】
上記ステップＳ１６において、「Ｎｏ」、つまり内部圧力の増減方向が「ＮＧ」となる圧力検出用容器が１つでも存在する場合、故障診断回路４０ｃは、リトライ回数ｋ２をインクリメントし（ステップＳ１７）、そのリトライ回数ｋ２が規定値（例えば３回）以上か否かを判定する（ステップＳ１８）。このステップＳ１８において、「Ｎｏ」、つまりリトライ回数ｋ２が規定値未満であった場合、故障診断回路４０ｃは、ステップＳ１５に戻って内部圧力の再制御を行う。一方、ステップＳ１８において、「Ｙｅｓ」、つまりリトライ回数ｋ２が規定値以上であった場合、故障診断回路４０ｃは、ステップＳ３０に移行し、圧力検出用容器（完全に密閉されていない可能性がある）、圧力センサ及び圧力調整用ポンプ５０のいずれかの故障と診断して警報を発生して故障診断処理を終了する。
【００３５】
一方、上記ステップＳ１６において、「Ｙｅｓ」、つまり全ての圧力検出用容器の内部圧力の増減方向が「ＯＫ」と判定された場合、故障診断回路４０ｃは、図４に示すように、所定時間変化Δｔ（＝ｔ２−ｔ１）に対する圧力変化ΔＰ（＝ｐ２−ｐ１）を基に、ΔＰ／Δｔを算出する（ステップＳ１９）。故障診断回路４０ｃは、ΔＰ／Δｔの算出値が「ＯＫ」か「ＮＧ」かを判定する（ステップＳ２０）。ここでは、予め実験的に加圧した場合、または減圧した場合とでΔＰ／Δｔを求めておき、そのΔＰ／Δｔの実験結果と上記ステップＳ１９による算出結果とを比較し、算出結果が実験結果の規定範囲内に含まれていれば「ＯＫ」と判定し、そうでなければ「ＮＧ」と判定する。
【００３６】
上記ステップＳ２０において、「Ｎｏ」、つまりΔＰ／Δｔの値が「ＮＧ」となる圧力検出用容器が１つでも存在する場合、故障診断回路４０ｃは、リトライ回数ｋ３をインクリメントし（ステップＳ２１）、そのリトライ回数ｋ３が規定値（例えば３回）以上か否かを判定する（ステップＳ２２）。このステップＳ２２において、「Ｎｏ」、つまりリトライ回数ｋ３が規定値未満であった場合、故障診断回路４０ｃは、圧力調整用ポンプ５０を制御して、各圧力検出用容器１０Ｌ、１０Ｃ、１０Ｒの内部圧力を大気圧にリセットし（ステップＳ２３）、その後ステップＳ１５に戻って内部圧力の再制御を行う。一方、ステップＳ２２において、「Ｙｅｓ」、つまりリトライ回数ｋ３が規定値以上であった場合、故障診断回路４０ｃは、ステップＳ３０に移行し、圧力検出用容器、圧力センサ及び圧力調整用ポンプ５０のいずれかの故障と診断して警報を発生して故障診断処理を終了する。
【００３７】
一方、上記ステップＳ２０において、「Ｙｅｓ」、つまり全ての圧力検出用容器のΔＰ／Δｔの値が「ＯＫ」と判定された場合、故障診断回路４０ｃは、初期診断処理を終了して常時診断処理を開始する（ステップＳ２４）。故障診断回路４０ｃは、常時診断処理として、圧力調整用ポンプ５０を制御して、各圧力検出用容器１０Ｌ、１０Ｃ、１０Ｒの内部圧力を目標圧力に保持し（ステップＳ２５）、各内部圧力が目標圧力の規定範囲内であるか否かを判定する（ステップＳ２６）。
【００３８】
上記ステップＳ２６において、「Ｎｏ」、つまり内部圧力が目標圧力の規定範囲内に含まれていない圧力検出用容器が１つでも存在する場合、故障診断回路４０ｃは、リトライ回数ｋ４をインクリメントし（ステップＳ２７）、そのリトライ回数ｋ４が規定値（例えば１０回若しくは所定時間５００ｍｓ）以上か否かを判定する（ステップＳ２８）。このステップＳ２８において、「Ｎｏ」、つまりリトライ回数ｋ４が規定値未満であった場合、故障診断回路４０ｃは、ステップＳ２５に戻って内部圧力の再制御を行う。一方、ステップＳ２８において、「Ｙｅｓ」、つまりリトライ回数ｋ４が規定値以上であった場合、故障診断回路４０ｃは、ステップＳ３０に移行し、圧力検出用容器、圧力センサ及び圧力調整用ポンプ５０のいずれかの故障と診断して警報を発生して故障診断処理を終了する。
【００３９】
また、上記ステップＳ２６において、「Ｙｅｓ」、つまり全ての圧力検出用容器の内部圧力が目標圧力の規定範囲内に含まれている場合、故障診断回路４０ｃは、故障無しと診断してワーニングランプを消灯し、歩行者衝突判定回路４０ｂに対して衝突判定処理の開始を許可して故障診断処理を終了する（ステップＳ２９）。
【００４０】
続いて、歩行者衝突判定回路４０ｂによる衝突判定処理について、図５のフローチャートを参照して説明する。なお、以下の説明において、圧力検出用容器１０Ｌ、１０Ｃ、１０Ｒの内部圧力は、上記の故障診断回路４０ｃによる故障診断処理によって目標圧力に保持されている。
【００４１】
図５に示すように、まず、歩行者衝突判定回路４０ｂは、車速センサ３０の出力信号から車両１００の車速Ｖを監視し（ステップＳ４０）、現在の車速Ｖが制御範囲内に含まれるか否かを判定する（ステップＳ４１）。このステップＳ４１において、「Ｙｅｓ」、つまり現在の車速Ｖが制御範囲内に含まれている場合、歩行者衝突判定回路４０ｂは、車速Ｖに応じた衝突判定閾値Ｔｈを設定する（ステップＳ４２）。一方、上記ステップＳ４１において、「Ｎｏ」、つまり現在の車速Ｖが制御範囲内に含まれていない場合、歩行者衝突判定回路４０ｂは、衝突判定閾値Ｔｈとして最大値Ｔｈ−Ｈを設定する（ステップＳ４３）。
【００４２】
これらステップＳ４１、Ｓ４２、Ｓ４３の処理について図６を参照して具体的に説明する。図６（ａ）は、車速センサ３０にて検出される車速Ｖと、その車速Ｖに応じて歩行者衝突判定回路４０ｂが設定する衝突判定閾値Ｔｈとの対応関係を表す一例である。図６（ａ）に示すように、Ｖ１≦Ｖ≦Ｖ３の車速範囲が制御範囲であり、この制御範囲内に車速Ｖが含まれる場合、衝突判定閾値Ｔｈは、車速Ｖに応じてＴｈ−Ｌ（最小値）≦Ｔｈ≦Ｔｈ−Ｈ（最大値）の範囲で設定される。また、これ以外の車速範囲、つまり０≦Ｖ＜Ｖ１、Ｖ＞Ｖ３の車速範囲では、車速Ｖに拘わらず衝突判定閾値Ｔｈは最大値Ｔｈ−Ｈに設定される。
【００４３】
上記のように衝突判定閾値Ｔｈを設定する理由は以下の通りである。
〔０≦Ｖ＜Ｖ１の車速範囲〕
車両１００が比較的遅い速度で走行している場合、車両１００と歩行者が衝突しても歩行者が負う傷害は軽微であるため、エンジンフード１３０を持ち上げることによる歩行者保護の必要性は低い（車両１００が停止している場合は歩行者との衝突を考慮する必要はない）。そこで、図６（ａ）に示すように、０≦Ｖ＜Ｖ１の車速範囲では歩行者と衝突したと判定されないように（エンジンフード１３０が制御されないように）、衝突判定閾値Ｔｈを最大値Ｔｈ−Ｈに設定する。
【００４４】
〔Ｖ＞Ｖ３の車速範囲〕
一方、車両１００が非常に速い速度で走行している場合、極めて大きな衝撃を伴って車両１００と歩行者が衝突するため、衝突判定閾値Ｔｈを最大値に設定し、エンジンフード１３０を持ち上げる。そこで、図４（ａ）に示すように、Ｖ＞Ｖ３の車速範囲でも車両が非常に速い速度で走行していることから衝突判定閾値Ｔｈを最大値Ｔｈ−Ｈに設定しても極めて大きな衝撃を伴うので、衝突判定閾値Ｔｈを最大値に設定している。
【００４５】
〔Ｖ１≦Ｖ≦Ｖ３の車速範囲（制御範囲）〕
車両１００が比較的速い速度で走行している場合、車両１００と歩行者が衝突して歩行者が負う傷害の程度は比較的大きくなるため、エンジンフード１３０を持ち上げることによる歩行者保護の必要性が高くなる。そこで、図６（ａ）に示すように、Ｖ１≦Ｖ≦Ｖ３の車速範囲（制御範囲）では、エンジンフード１３０が制御されるように、車速Ｖに応じて衝突判定閾値ＴｈをＴｈ−Ｌ≦Ｔｈ≦Ｔｈ−Ｈの範囲で設定する。ここで、制御範囲の中で最も遅い車速Ｖ１の場合に設定される衝突判定閾値の最小値Ｔｈ−Ｌは、この最も遅い車速Ｖ１で歩行車と衝突した際の小さな衝撃で発生する、圧力検出用容器１０Ｌ、１０Ｃ、１０Ｒ内の微弱な圧力変化を捉えられるような値に設定されている。また、車速Ｖが速くなる程、歩行車と衝突した際の衝撃は大きくなるため、圧力検出用容器１０Ｌ、１０Ｃ、１０Ｒ内で発生する圧力変化も大きくなる。よって、車速Ｖが速くなる程、衝突判定閾値Ｔｈも高い値に設定する（その圧力変化が歩行者との衝突に起因するものか、または異物の衝突に起因するものかを区別するため）。
【００４６】
なお、Ｖ１≦Ｖ≦Ｖ３の制御範囲において、Ｖ１≦Ｖ≦Ｖ２の車速範囲の衝突判定閾値Ｔｈを最小値Ｔｈ−Ｌに固定しているが、これは車両１００が低速走行している間に衝突判定閾値Ｔｈが急激に変化するのは好ましくないためである（圧力変化が微弱であるため）。但し、このような設定を必ずしも実施する必要はなく、Ｖ１≦Ｖ≦Ｖ３の制御範囲で衝突判定閾値Ｔｈが単調増加するような設定にしても良い。また、一般的に歩行者と衝突する直前は急ブレーキをかけるため、車速Ｖが急激に変化し、衝突判定閾値Ｔｈも急激に変化してしまう。これを防止するために、図６（ｂ）に示すように、車速センサ３０にて検出した車速Ｖにフィルタリングを施し、なだらかに車速Ｖが変化するような機能を歩行者衝突判定回路４０ｂに設けることが望ましい。
【００４７】
以上がステップＳ４１、Ｓ４２、Ｓ４３の詳細な説明であり、以下、図５に戻って説明を続ける。歩行者衝突判定回路４０ｂは、上記のようなステップＳ４１、Ｓ４２、Ｓ４３の処理によって車速Ｖに応じた衝突判定閾値Ｔｈの設定を行うと共に、圧力センサ２０Ｌ、２０Ｃ、２０Ｒの出力信号から圧力検出用容器１０Ｌ、１０Ｃ、１０Ｒ内の圧力変化を監視しており、各圧力検出用容器１０Ｌ、１０Ｃ、１０Ｒ内の圧力変化と衝突判定閾値Ｔｈを比較することにより衝突判定を行う（ステップＳ４４）。
【００４８】
このステップＳ４４の処理について図７を参照して具体的に説明する。図７は、圧力センサ２０Ｌにて検出される、圧力検出用容器１０Ｌ内の圧力変化と、ステップＳ４１、Ｓ４２、Ｓ４３によって設定される衝突判定閾値Ｔｈとの時間的な対応関係を表す一例である。この図７では、時刻ｔ１前では車両１００が車速Ｖ３以上の速度で走行しており、時刻ｔ１に急ブレーキをかけた場合を想定している。つまり、時刻ｔ１前では衝突判定閾値Ｔｈは最大値Ｔｈ−Ｈに設定され、時刻ｔ１以後、車速Ｖの急減速に応じて衝突判定閾値Ｔｈは低くなっていく。
【００４９】
そして、図７に示すように、時刻ｔ１以後、急ブレーキをかけたにも拘わらず歩行者と衝突した場合、その衝撃により圧力検出用容器１０Ｌが変形して急激な圧力変化が生じ、その圧力変化が時刻ｔ２に衝突判定閾値Ｔｈを越えたと想定する。歩行者衝突判定回路４０ｂは、このように圧力変化が衝突判定閾値Ｔｈを越えた場合に、歩行者と衝突したと判定する。なお、歩行者衝突判定回路４０ｂは、全ての圧力センサ２０Ｌ、２０Ｃ、２０Ｒにて検出される圧力変化について上記のような衝突判定を行っており、少なくとも１つの圧力変化が衝突判定閾値Ｔｈを越えた場合に、歩行者と衝突したと判定する。
【００５０】
歩行者衝突判定回路４０ｂは、上記のようなステップＳ４４によって衝突判定を行い、その判定結果が歩行者との衝突であったか否かを判定する（ステップＳ４５）。このステップＳ４５において、「Ｙｅｓ」、つまり判定結果が歩行者との衝突であった場合、歩行者衝突判定回路４０ｂは起動信号をエンジンフード制御装置４０ｄに出力して、エンジンフード１３０を起動させる（ステップＳ４６）。一方、ステップＳ４５において、「Ｎｏ」の場合、歩行者衝突判定回路４０ｂはステップＳ４０に戻って衝突判定処理を継続する。
【００５１】
以上のように、本実施形態に係る歩行者衝突検知装置を備えた歩行者保護システムによれば、以下のような効果を得られる。
（１）車両が停止中でも自装置（歩行者衝突検知装置）の故障診断を容易に行うことができる。
（２）衝突直後の圧力センサの出力変化は、従来の加速度センサと比較してある程度長い時間得られるので、衝突判定が容易となる。
（３）また、圧力検出用容器の変形でのみ圧力変化は発生するので、圧力センサの出力変化が悪路走行時などの車両振動に起因するものか、歩行者との衝突に起因するものかを判別することができ、その結果、車両前端部の変形を伴わない車両振動を歩行者との衝突と誤判定することを防止することができる。
（４）さらに、衝突箇所と圧力センサの設置位置が離れてしまう場合であっても、圧力検出用容器が変形しさえすれば、その容器内の圧力変化は均一に生じるため、衝突の衝撃を減衰なく捉えることができる。
すなわち、本実施形態に係る歩行者衝突検知装置を備えた歩行者保護システムによれば、歩行者衝突検知装置内の故障診断を容易に行うことができ、且つ従来の加速度センサを用いる場合と比較して、歩行者との衝突を正確に検知することが可能であると共に、衝突時に確実に歩行者を保護することが可能である。
【００５２】
なお、本発明は上記実施形態に限定されず、以下のような変形例が考えられる。
（１）上記実施形態では、３つの圧力検出用容器１０Ｌ、１０Ｃ、１０Ｒを車両前端部に設置した場合を例示して説明したが、圧力検出用容器の個数はこれに限定されず、１個以上設置していれば良い。１個設置する場合は、圧力検出用容器を車両１００の車幅方向の全体を覆うような大きさとすることが望ましい。このように、圧力検出用容器を１個だけ設置する場合は、この１個の圧力検出用容器内の圧力変化が衝突判定閾値を越えた場合に、歩行者と衝突したと判定すれば良い。また、上記実施形態では、圧力検出用容器１０Ｌ、１０Ｃ、１０Ｒの断面が正方形状である場合を例示したが（図１参照）、これに限定されず、図８に示すように、その他の形状（例えば多角形状）としても良い。
【００５３】
（２）上記実施形態では、図６（ａ）に示すように、車速センサ３０にて検出される車速Ｖに比例して衝突判定閾値Ｔｈが連続的に高くなるように設定したが、これに限定されず、図９（ａ）に示すように、ある車速範囲毎に衝突判定閾値Ｔｈが段階的に高くなるように設定しても良い。図９（ａ）の例では、Ｖ１≦Ｖ≦Ｖ４を制御範囲とし、Ｖ１≦Ｖ＜Ｖ２の車速範囲では衝突判定閾値Ｔｈを最小値Ｔｈ−Ｌに設定し、Ｖ２≦Ｖ＜Ｖ３の車速範囲では衝突判定閾値Ｔｈを最小値Ｔｈ−Ｌより高いＴｈ−Ｍ１に設定し、Ｖ３≦Ｖ≦Ｖ４の車速範囲では衝突判定閾値ＴｈをＴｈ−Ｍ１より高く、且つ最大値Ｔｈ−Ｈより低いＴｈ−Ｍ２に設定している。なお、図９（ｂ）は、図９（ａ）のように衝突判定閾値Ｔｈを設定した場合におけるエンジンフード１３０の起動タイミングを示す一例である。
【００５４】
（３）上記実施形態では、１つの圧力検出用容器に１つの圧力センサが設けられている場合を例示したが、圧力センサの個数はこれに限定されず、１つの圧力検出用容器に対して複数の圧力センサを設けても良い。この場合、複数の圧力センサにて検出した圧力変化の少なくとも１つが衝突判定閾値を越えた場合に、歩行者と衝突したと判定しても良い。
【００５５】
（４）上記実施形態では、圧力調整用ポンプ５０によって、各圧力検出用容器１０Ｌ、１０Ｃ、１０Ｒの内部圧力を目標圧力に調整し、その目標圧力からの変化を圧力検出用容器内の圧力変化として検出したが、この圧力調整用ポンプ５０は必ずしも設ける必要はなく、通常、各圧力検出用容器１０Ｌ、１０Ｃ、１０Ｒの内部圧力は大気圧であるため、この大気圧からの変化を圧力検出用容器内の圧力変化として検出しても良い。
【００５６】
（５）上記実施形態では、フロントエンジンタイプの車両１００を想定して説明したが、例えば、ミッドシップエンジンタイプ、リアエンジンタイプの車両の場合でも、車両前方部に設けたトランク上に開閉自在のフードを設置することが一般的であるため、本発明を適用することができる。
【図面の簡単な説明】
【００５７】
【図１】本発明の一実施形態に係る歩行者衝突検知装置を備えた歩行者保護システムの構成概略図である。
【図２】本発明の一実施形態に係る歩行者保護システムにおけるＥＣＵ４０の詳細説明図である。
【図３】本発明の一実施形態に係る歩行者保護システムにおける故障診断回路４０ｃによる故障診断処理を表すフローチャートである。
【図４】本発明の一実施形態に係る歩行者保護システムにおける故障診断回路４０ｃによる故障診断処理に関するタイミングチャートである。
【図５】本発明の一実施形態に係る歩行者保護システムにおける歩行者衝突判定回路４０ｂによる衝突判定処理を表すフローチャートである。
【図６】本発明の一実施形態に係る歩行者保護システムにおける歩行者衝突判定回路４０ｂによる衝突判定処理に関する第１説明図である。
【図７】本発明の一実施形態に係る歩行者保護システムにおける歩行者衝突判定回路４０ｂによる衝突判定処理に関する第２説明図である。
【図８】本発明の一実施形態に係る歩行者保護システムの変形例に関する第１説明図である。
【図９】本発明の一実施形態に係る歩行者保護システムの変形例に関する第２説明図である。
【符号の説明】
【００５８】
１００…車両、１１０…フロントバンパ、１２０…前輪、１３０…エンジンフード、１４０…バンパビーム、１０Ｌ、１０Ｃ、１０Ｒ…圧力検出用容器、２０Ｌ、２０Ｃ、２０Ｒ…圧力センサ、３０…車速センサ、４０…ＥＣＵ（Electronic Control Unit）、４０ａ…センサＩ／Ｆ、４０ｂ…歩行者衝突判定回路、４０ｃ…故障診断回路、４０ｄ…エンジンフード制御装置、５０…圧力調整用ポンプ、６０…パワーユニット
【図１】
2009196464.tif 000003
【図２】
2009196464.tif 000004
【図３】
2009196464.tif 000005
【図４】
2009196464.tif 000006
【図５】
2009196464.tif 000007
【図６】
2009196464.tif 000008
【図７】
2009196464.tif 000009
【図８】
2009196464.tif 000010
【図９】
2009196464.tif 000011